(57)【要約】【課題】後加工における作業性を大幅に向上した剥離シート付両面粘着テープ、剥離シート付両面粘着テープによる貼付方法を提供すること。【解決手段】剥離シート１ｂと両面粘着テープ１ａが貼り合わされた剥離シート付両面粘着テープ１を複数列に配設する剥離シート付両面粘着テープ１による貼付方法において、複数の上記剥離シート１ｂを連結帯２によって連結しておき、複数の上記剥離シート１ｂを同時に剥離させることを特徴とする剥離シート付両面粘着テープ１による貼付方法。剥離シート１ｂと両面粘着テープ１ａが貼り合わされた複数列の剥離シート付両面粘着テープ１において、複数の上記剥離シート１ｂが連結帯２によって連結されていることを特徴とする剥離シート付両面粘着テープ１。【選択図】      図１
2012017396.tif 000002
【特許請求の範囲】
【請求項１】
剥離シートと両面粘着テープが貼り合わされた剥離シート付両面粘着テープを複数列に配設する剥離シート付両面粘着テープによる貼付方法において、複数の上記剥離シートを連結帯によって連結しておき、複数の上記剥離シートを同時に剥離させることを特徴とする剥離シート付両面粘着テープによる貼付方法。
【請求項２】
上記連結帯が、片面に剥離面が形成され、もう一方の面に粘着面が形成された片面粘着テープからなり、上記剥離シート付両面粘着テープの剥離シートを一部剥離し、該剥離シートにおける両面粘着テープ側の面と上記片面粘着テープの粘着面とを貼付することで、上記複数の剥離シートと連結帯を固定することを特徴とする請求項１記載の両面粘着テープによる貼付方法。
【請求項３】
上記連結帯が、片面に剥離面が形成され、もう一方の面に粘着面が形成された片面粘着テープからなり、上記剥離シート付両面粘着テープの剥離シートを一部剥離し、その剥離部分を一対の上記片面粘着テープの粘着面によって挟持貼付することで、上記複数の剥離シートと連結帯を固定することを特徴とする請求項１記載の剥離シート付両面粘着テープによる貼付方法。
【請求項４】
剥離シートと両面粘着テープが貼り合わされた複数列の剥離シート付両面粘着テープにおいて、複数の上記剥離シートが連結帯によって連結されており、上記連結帯が、片面に剥離面が形成され、もう一方の面に粘着面が形成された片面粘着テープから構成されており、上記剥離シート付両面粘着テープの剥離シートと両面粘着テープの間に上記片面粘着テープが配置され、上記剥離シート付両面粘着テープの剥離シートと上記片面粘着テープの粘着面とが貼付されることで、上記複数の剥離シートと連結帯が固定されていることを特徴とする剥離シート付両面粘着テープ。
【請求項５】
剥離シートと両面粘着テープが貼り合わされた複数列の剥離シート付両面粘着テープにおいて、複数の上記剥離シートが連結帯によって連結されており、上記連結帯が、片面に剥離面が形成され、もう一方の面に粘着面が形成された粘着テープから構成されており、上記剥離シートの一部が、一対の上記片面粘着テープの粘着面によって挟持貼付されることで、上記複数の剥離シートと連結帯が固定されていることを特徴とする剥離シート付両面粘着テープ。
【請求項６】
剥離シートと両面粘着テープが貼り合わされた複数列の剥離シート付両面粘着テープにおいて、複数の上記剥離シートが連結帯によって連結されていることを特徴とする剥離シート付両面粘着テープ。
【請求項７】
請求項４〜請求項６何れか記載の剥離シート付両面粘着テープが貼り付けられた物品。
【発明の詳細な説明】
【技術分野】
【０００１】
本発明は、例えば、カーシートヒータなど、種々の物品を貼り付けるために使用される剥離シート付両面粘着テープ、剥離シート付両面粘着テープによる貼付方法、及び、剥離シート付両面粘着テープが貼り付けられた物品に係り、特に、後加工における作業性を大幅に向上したものに関する。
【背景技術】
【０００２】
従来より、両面が接着性を有する両面粘着テープは、種々の形態のものが一般に販売されており、片面が剥離シートで覆われた状態で巻物状に巻かれたものや、両面を剥離シートで挟持されたものなどが知られている。この両面粘着テープは、片面に剥離シートを付したまま、もう一方の面を物品に貼付し、その後、剥離シートを剥離して、他の物品と貼り合せるものである。
【０００３】
このような両面粘着テープは、例えば、車両用シートにおけるヒータユニット（所謂カーシートヒータ）においても、ヒータユニットを車両用シートのクッション部に固定するために使用されている。ここで、ヒータユニットの製造と車両用シートの組立は通常別の工程である。そのため、工程間でヒータユニットを搬送する際には、ゴミや他の物品等が貼り付かないように、両面粘着テープの片面を剥離シートで覆ったままの状態としておき、車両用シートに組み付ける際に、剥離シートを剥離して、車両用シートにヒータユニットを固定することになる。
【０００４】
本件に関連する技術として、例えば、特許文献１が当該出願人より出願されている。また、ヒータユニットに関連する技術としては、当該出願人より、例えば特許文献２などが出願されている。
【先行技術文献】
【特許文献】
【０００５】
【特許文献１】特開２０１０−７０６８２公報：クラベ
【特許文献２】特許第４２０２０７１号公報：クラベ
【発明の開示】
【発明が解決しようとする課題】
【０００６】
ところで、ヒータユニットへの両面粘着テープの貼付に際して、ヒータユニット全面に貼り付けるのではなく、帯形状の両面粘着テープを要所に複数列貼り付けるのみで止める場合が多々ある。これは、材料費削減という観点もあるが、両面粘着テープによる貼付を行わない部分を設けることで、車両用シートのクッション及びヒータユニットが自由に動ける部分を作り、柔軟で良質な風合いを得るためである。
【０００７】
このような場合、ヒータユニットを車両用シートに組み付ける際、複数列の両面粘着テープについて個別に剥離シートを剥離しなければならず、工数が増加するという問題があった。また、一般的な作業により両面粘着テープの貼付をする場合、両面粘着テープの端部と剥離シートの端部が均一に揃ってしまっているため、剥離シートのみを掴持することができず、剥離シートのみを剥離することが困難である。実際の作業においては、作業者の怪我防止や製品の保護のため、作業者は軍手等の保護具を装着して作業を行うため、剥離シートのみを剥離することは更に困難になる。このような困難な作業であるため、剥離シートのみを剥離しようとして、両面粘着テープまでもヒータユニットから剥がしてしまうことがあった。特に、不織布を基材布としたヒータユニットにおいては、一度貼り付けた両面粘着テープを剥がすと、両面粘着テープに不織布の繊維が付着するため、貼り直しをすることはできない。ヒータユニットを車両用シートに組み付ける作業は、正確な位置合わせをしなければ、設計で意図した加熱ができなくなるとともに、シートヒータにシワが発生してヒータ線の断線を引き起こしてしまうことになる。そのため、シートヒータ組み付け作業における負担を軽減するように、できるかぎり剥離シートを剥離する作業を容易なものとする必要があった。
【０００８】
本発明はこのような従来技術の課題を解決するためになされたもので、その目的とするところは、後加工における作業性を大幅に向上した剥離シート付両面粘着テープ、剥離シート付両面粘着テープによる貼付方法、及び、剥離シート付両面粘着テープが貼り付けられた物品を提供することにある。
【課題を解決するための手段】
【０００９】
上記目的を達成するべく、本発明の請求項１による剥離シート付両面粘着テープによる貼付方法は、剥離シートと両面粘着テープが貼り合わされた剥離シート付両面粘着テープを複数列に配設する剥離シート付両面粘着テープによる貼付方法において、複数の上記剥離シートを連結帯によって連結しておき、複数の上記剥離シートを同時に剥離させることを特徴とする剥離シート付両面粘着テープによる貼付方法。
又、請求項２記載の両面粘着テープによる貼付方法は、上記連結帯が、片面に剥離面が形成され、もう一方の面に粘着面が形成された片面粘着テープからなり、上記剥離シート付両面粘着テープの剥離シートを一部剥離し、該剥離シートにおける両面粘着テープ側の面と上記片面粘着テープの粘着面とを貼付することで、上記複数の剥離シートと連結帯を固定することを特徴とするものである。
又、請求項３記載の剥離シート付両面粘着テープによる貼付方法は、  上記連結帯が、片面に剥離面が形成され、もう一方の面に粘着面が形成された片面粘着テープからなり、上記剥離シート付両面粘着テープの剥離シートを一部剥離し、その剥離部分を一対の上記片面粘着テープの粘着面によって挟持貼付することで、上記複数の剥離シートと連結帯を固定することを特徴とするものである。
又、請求項４記載の剥離シート付両面粘着テープは、剥離シートと両面粘着テープが貼り合わされた複数列の剥離シート付両面粘着テープにおいて、複数の上記剥離シートが連結帯によって連結されており、上記連結帯が、片面に剥離面が形成され、もう一方の面に粘着面が形成された片面粘着テープから構成されており、上記剥離シート付両面粘着テープの剥離シートと両面粘着テープの間に上記片面粘着テープが配置され、上記剥離シート付両面粘着テープの剥離シートと上記片面粘着テープの粘着面とが貼付されることで、上記複数の剥離シートと連結帯が固定されていることを特徴とするものである。
又、請求項５記載の剥離シート付両面粘着テープは、剥離シートと両面粘着テープが貼り合わされた複数列の剥離シート付両面粘着テープにおいて、複数の上記剥離シートが連結帯によって連結されており、上記連結帯が、片面に剥離面が形成され、もう一方の面に粘着面が形成された粘着テープから構成されており、上記剥離シートの一部が、一対の上記片面粘着テープの粘着面によって挟持貼付されることで、上記複数の剥離シートと連結帯が固定されていることを特徴とするものである。
又、請求項６記載の剥離シート付両面粘着テープは、剥離シートと両面粘着テープが貼り合わされた複数列の剥離シート付両面粘着テープにおいて、複数の上記剥離シートが連結帯によって連結されていることを特徴とするものである。
又、請求項７記載の物品は、上記の剥離シート付両面粘着テープが貼り付けられたものである。
【発明の効果】
【００１０】
本発明によれば、連結帯を掴持して引き剥がすことで、複数の剥離シートを同時に剥離させることができ、作業性を大幅に向上させることができる。更に、作業者は剥離シート自体を掴持する必要はなく、掴持しやすい連結帯を掴持すれば良いため、例え軍手などの保護具を装着していても容易に作業することができ、この点でも作業性を向上させることができる。
【図面の簡単な説明】
【００１１】
【図１】本発明による剥離シート付両面粘着テープの構成を示す要部拡大した概略斜視図である。
【図２】本発明による剥離シート付両面粘着テープの構成を示す要部拡大した概略斜視図である。
【図３】本発明による剥離シート付両面粘着テープが貼り付けられたヒータユニットを示す図である。
【発明を実施するための最良の形態】
【００１２】
以下に、示す図面を参照しながら本発明の実施の形態を説明する。
【００１３】
まず、剥離シート付両面粘着テープ１として、一般に両面テープとして市販されているものを用意する。これは、両面が接着性を有する両面粘着テープ１ａと、該両面粘着テープ１ａの片面を覆う剥離シート１ｂとからなるもので、幅３０ｍｍの帯状のものが巻物状に巻き取られた形状となっている。
【００１４】
このような接着テープ１は、例えば、図３に示すような、不織布からなる基材布１１と、所定のパターン形状にて上記基材上に配設されるコード状ヒータ１２とからなるヒータユニット２０に２列で貼り付けられる。ヒータユニットの詳細な態様については、例えば、上記特許文献２などを参照できる。なお、剥離シート付両面粘着テープ１は、ヒータユニット２０の基材布１１におけるコード状ヒータ１２を配設した側の面に貼り付けてもよいし、コード状ヒータ１２を配設しない側の面に貼り付けてもよい。
【００１５】
次いで、剥離シート付両面粘着テープ１の剥離シート１ｂを連結帯によって連結する方法を図１、図２に示す概略図を用いて説明する。連結帯は、片面に剥離面２ｂが形成され、もう一方の面に粘着面２ａが形成された片面粘着テープ２，２´を使用する。この片面粘着テープは、一般にガムテープと称されて市販されているものである。図２に示すように、剥離シート付両面粘着テープ１の剥離シート１ｂを一部剥離し、その剥離部分を一対の片面粘着テープ２，２´の粘着面２ａによって挟持貼付する。これにより、図１に示すように、複数の剥離シート１ｂが連結帯である片面粘着テープ２，２´により保持されることになる。
【００１６】
こうすることにより、作業者は、連結帯２を掴持して引き剥がすことで、複数の剥離シート１ｂを同時に剥離させることができる。また、作業者は、例え軍手等の保護具を装着した状態であっても、連結帯２を掴持することができるため、両面粘着テープ１ａまで剥がしてしまうことなく、剥離シート１ｂのみを剥離することができる。
【００１７】
更に、片面粘着テープ２が両面粘着テープ１ａに接している部分は、剥離面２ｂであるため、片面粘着テープ２と両面粘着テープ１ａが貼り付いてしまうことはなく、且つ、片面粘着テープ２，２´が剥離シート１ｂに接している部分は、接着面２ａであるため、片面粘着テープ２，２´と剥離シート１ｂが剥離してしまうこともない。
【００１８】
上記の実施の形態においては、一対の片面粘着テープ２，２´により剥離シート１ｂを挟持していたが、片面粘着テープ２´を省略することも考えられる。この場合、片面粘着テープ２の粘着面が剥き出しの状態になるため、その部分について、別部材のシートを貼り付ける、粘着性を失効させるための塗料を塗布するなど、適宜処置をすれば良い。また、連結帯として、片面粘着テープではなく、例えば、適当な紙片、布片、樹脂シート片などで代用することも考えられる。その場合は、連結帯と両面粘着テープ１ａが貼り付かないように離型剤を塗布する等の処置をすること、及び、連結帯と離型シート１ｂが固定されるように他の粘着テープ、ホチキス、接着剤等で処置をすることを考慮する。
【００１９】
また、上記の実施の形態においては、剥離シート付両面粘着テープ１をヒータユニット２０に貼り付けた後に、連結帯によって剥離シート１ｂを連結したが、予め、連結帯によって剥離シート１ｂを連結しておき、その後、剥離シート付両面粘着テープ１をヒータユニット２０に貼り付けても良い。また、上記の実施の形態において、剥離シート付両面粘着テープ１は２列であったが、勿論、３列又はそれ以上となっても良い。
【００２０】
剥離シート付両面粘着テープ１や片面粘着テープ２についても、上記実施の形態のものに限定されることはなく、公知の種々粘着テープを使用することができる。
【産業上の利用可能性】
【００２１】
以上詳述したように本発明によれば、作業性を大幅に向上した剥離シート付両面粘着テープ、剥離シート付両面粘着テープによる貼付方法、及び、剥離シート付両面粘着テープが貼り付けられた物品を提供することができる。本発明の応用分野は、ヒータユニットに限られず、両面粘着テープを使用した種々の貼付の態様に応用することが可能である。また、貼り直しがきかないものへの接着や、比較的接着しにくいものへの接着には有効である。例えば、封筒、障子、襖などの紙製品への適用、接着層との接触面積が少ない多孔体や表面凹凸形状の物品等への適用、貼り直すことで接着層の接着性が低下してしまう布材、皮材、メッキ製品、塗装品への適用、など種々の態様が考えられる。
【符号の説明】
【００２２】
１  剥離シート付両面粘着テープ
１ａ  両面粘着テープ
１ｂ  剥離シート
２  片面粘着テープ
２ａ  粘着面
２ｂ  剥離面
１１  基材布
１２  コード状ヒータ
２０  ヒータユニット
【図１】
2012017396.tif 000003
【図２】
2012017396.tif 000004
【図３】
2012017396.tif 000005